Podtech/llm-jp-corpus-v4-ja_patent huggingface dataset:
(57)【要約】      （修正有）【課題】この発明は、毛髪を吸い込むことにより乾燥させ、カール又はストレートに形成させることを目的としている。螺旋状の空間に、濡れた毛髪を熱風と共に吸い込んでやり、毛髪の水素結合をカール状、若しくはストレート状に再結合させる。【解決手段】巻貝状になる螺旋空間の開口部の上部に電熱コイルｃを設ける。電熱コイル上部に吸気孔ｂ下部に熱風噴出口ｄを配置する。螺旋状内壁には縦方向に溝又は突起物ｆを設ける。螺旋空間の中心部より本体下部に続くようにパイプを設ける。電熱コイルから本体下部に配線を導き（ＯＮ、ＯＦＦ）スイッチへ連結する。パイプ下部から掃除機若しくは専用の吸引装置に連結する。掃除機（又は専用の吸引機）の排気口から吸気孔に風を循環するようにエアダクトで連結する。吸い込み口上部に排気噴出し口を設ける。【選択図】図１
2004249034.tif 000002
【特許請求の範囲】
【請求項１】
毛髪を吸い込むことにより乾燥し且つカールさせるヘアドライヤー
１．硬質プラステイック等で巻貝状の螺旋空間を成型する。
２．開口部上部に電熱ヒーターを設置する。
３．螺旋空間中心部、側面より本体下部に連結パイプを設ける。
４．連結パイプから掃除機（又は専用の吸引機）に繋ぐ。
５．電熱ヒーター上部に吸気孔，下部には熱風噴出口を設ける。
【請求項２】
吸引式ドライヤー排気循環型
１．【請求項１】の掃除機（又は専用の吸引機）の排気口に連結パイプをつける。
２．排気連結パイプから電熱ヒーター上部、吸気孔に繋ぎ、風を循環させる。
【請求項３】
吸引式ドライヤー排気循環吹きだし型
１．【請求項２】の吸い込み口上部に排気噴出し口を設ける。
【発明の詳細な説明】
【産業上の利用分野】
この発明は、従来のヘアドライヤーやくるくるドライヤーではなしえない手軽さ、簡便さで、不器用な人でも片手でヘアーセットが美しく出来ると共にブロードライを楽しくさせ、時間短縮を可能にするものである。
【従来の機器との比較】
１．従来のヘアドライヤーでは片手にドライヤー、もう一方の手にブラシを持ち、その両方を同時に動かさなければならない。また、くるくるドライヤーでも片手で髪の毛をおさえ、もう一方の手でドライヤーを回さなければならない。本発明吸引式ドライヤーにおいては、最初から最後まで片手で簡単に操作出来得る。
２．従来のヘアドライヤー、くるくるドライヤーでは、熱風が拡散したり、逆に一箇所に集中したり（毛髪の傷みの大きな原因）して非常に非効率であるが、本発明の吸引式ドライヤーでは閉鎖された空間であるため、熱風の拡散、偏り、集中の防止が可能である。
３．本発明の吸引式ドライヤーでは、抜け毛などを吸い込んでしまうので、毛髪の衣服への付着、または飛散することを防ぎ衛生面においても有効である。
４．夏場の暑い時期においても、熱風が顔や頭にあたらないので快適にブローすることが可能である。
【実施例】
１．毛髪（毛束）を本発明の吸引式ドライヤーで吸い込ませる。
【図２】参照。
２．髪の根元まで吸い込ませる。
３．毛髪が脱落しない程度に、本ドライヤーを離す。
４．２．３．を数度繰り返す。
【図２】（Ａ）（Ｂ）参照（毛髪は引っ張ることで艶が増し、面が整う）。
５．毛髪を根元まで吸い込んだ状態で本ドライヤーのヒータースイッチをＯＦＦにする。
【図２】（Ｃ）参照（毛髪は冷やすことにより、その形状が定着する）。
６．強いカールが必要ではない場合は、ヒータースイッチをＯＮのままにし、毛髪を抜き取る。
７．５．６．を調整することにより希望のウエーブ、カールが得られる。
【図面の簡単な説明】
【図１】本発明の吸引式ドライヤーの構成図である。
【符号の説明】
ａ．吸い込み口
ｂ．吸気孔
ｃ．電熱コイル
ｄ．熱風噴出口
ｅ．電熱コイル配線、ＯＮ，ＯＦＦスイッチにつづく
ｆ．螺旋空間，内壁部分
【図２】本発明、吸引式ドライヤーの施術，実施例である。
【符号の説明】
（Ａ）、ヒータＯＮ（温風）で毛髪を根元まで吸い込んだ状態。
（Ｂ）同じくＯＮで毛先まで引っ張った状態。
（Ｃ）ヒーターＯＦＦ（冷風）で根元まで吸い込んだ状態。
【図３】請求項２の吸引式ドライヤー循環型の構成図である。
【符号の説明】
ａ．防塵ネット、循環排気の埃などを防ぐ。
ｂ．循環排気ダクト。
【図４】請求項３の吸引式ドライヤー循環吹きだし型の構成図である。
【符号の説明】
ａ．吹きだし口
【図１】
2004249034.tif 000003
【図２】
2004249034.tif 000004
【図３】
2004249034.tif 000005
【図４】
2004249034.tif 000006
(57)【要約】【目的】荷物などを持っていると、その量などによっては、長い傘をさしたり持ったりするのが大変なことがあり、またＵ字状に形成された柄の部分は、材質によって滑りやすく立て掛けにくいことがある。さらに、従来の傘は石突きの部分は、比較的先が尖っているため危険であった。それらの問題を軽減する、柄と石突きが自由に曲がる傘を提供することが目的である。【構成】柄の部分をアルミ製針金（１）とゴム又は防水性ウレタンフォーム（２）により構成し、自由に曲げられるようにした。また、石突き部分はゴム又は防水性ウレタンフォーム（２）のなかにスプリング（４）を内蔵させ、衝撃が加わると曲がり、また元に戻るようにした。【選択図】図１
2004249031.tif 000002
【特許請求の範囲】
【請求項１】
傘本体と柄と石突きから成る長傘において、柄にあっては、可撓性のある比較的太めの針金を芯材として長めに形成したものへ、ゴム又は防水性ウレタンフォームにて被覆形成の上、自在に曲がるように形成し、他方、石突きにあっては、スプリングばねを芯材としてゴム素材にて被覆形成して、前記柄と同様に、自在に曲げられることを特徴とした、柄と石突きが自由に曲がる傘。
【発明の詳細な説明】
【０００１】
【発明の属する技術分野】
この発明は、長傘、とりわけその柄と石突きの部分への改良に関するものであり、より詳しくは、柄の部分が長く、手の力で自由に曲げられる、柔らかく太い針金の芯と、それを包むゴム素材によってできており、他方石突きの部分は、スプリングの入ったゴム素材によってできている、傘に関するものである。
【０００２】
【従来の技術】
従来の傘の柄や石突きは、曲がることのない芯をプラスチックや木などで覆ったものだった。従って、持ち歩くときも柄の部分を掴む必要があった。また、柄の部分が滑りやすく、立て掛けたりすることが困難であった。石突きの部分も鋭かったり、固いので、人に当たると大怪我をする危険があった。
【０００３】
【発明が解決しようとする課題】
本発明は、その欠点をなくするために、傘の柄や先が一定の強度を持ちつつも、人の手で簡単に曲げられるものを目指した。具体的には、柄の部分を衣類の一部やベルトに絡めたり、腕に絡め持ったりできるよう自由に曲がるようにし、ドアノブなどに絡めると摩擦力によって落ちにくくなること、そして石突きの部分は対象物に当たった場合衝撃を吸収し、かつ元の形状に戻れることを課題として研究を進めた。
の形状に戻れることを課題として研究を進めた。
【０００４】
【課題を解決するための手段】
一定の強度を持ちつつ簡単に曲がるようにする為、柄の部分は傘自体の芯の柄方向末端と自由自在に曲がる太い針金をしっかり組み合わせ、傘中心の骨を柄の方向へ延設し、その先にアルミ製針金の比較的太い線条を設け、さらにこれらを本発明の柄を形成する部分として、ゴム又は防水性ウレタンフォームで被覆形成する。また、石突きの部分は、傘の重みで潰れない程度で、且つ衝撃を受けると曲がるようにするため、スプリングを内蔵したゴム管によって形成することを特徴とする。
【０００５】
【作用】
本発明は以上のような構成であるから、傘をさす場合も閉じて持っている場合も、煩わしくなく思いの位置に固定でき、石突きの部分も怪我防止にも役立つ上、使用者に自由に曲げる楽しさも与える作用を持つ。
【０００６】
【実施例】
傘自体の骨であるアルミ製パイプ（３）を柄の方向へ延設し、柄の部分は、太めの比較的簡単に曲げられるアルミ製針金（１）を芯に使用する。また、傘の骨であるアルミ製パイプ（３）の中にアルミ製針金（１）を一部はめ込み、ジョイントする。そしてアルミ製パイプ（３）の延設部を含むアルミ製針金（１）部分を、ほぼ隙間無くゴム又は防水性ウレタンフォーム（２）の管で覆い、末端をなめらかに形成し、柄とする。大量生産の場合、ゴム管でなく針金に密着させる形でゴムを鋳型成形して生産する方法もある。
石突きの部分はスプリング（４）を芯に使用する。そしてゴム又は防水性ウレタンフォーム（２）の管で覆い、末端をなめらかに形成する。
本発明は以上のような構造で、これを強風時に使用するときには傘自体の骨であるアルミ製パイプ（３）をゴム又は防水性ウレタンフォーム（２）で被覆した部分を持ち、荷物などで手が塞がっている場合は、曲がる柄の部分を任意の形に曲げ、腕に絡めて傘をさす。傘を使用せず、持ち歩く場合には、腕の他ベルトやポケット、バッグなどに絡めておく。その他、立を合わせれば、ずれ落ちにくい。
石突き部分は強い衝撃が加わると曲がり、衝撃を吸収し、その後形は元に戻る。
また自由に曲げられるという点から柄の形を動物や人などの形にしておいても効果は変わらず、それらの手足となる部分にもアルミ製針金（１）を通すことで、手足の向きも変えられ、さらに楽しく使用できる。
【０００７】
【発明の効果】
本発明は以上のような構成だから、傘を使わない時に柄の部分を持つ必要がなくなるので、両手が自由に使え、電車のつり革も両手で持てる他、買い物袋が重くても無理して片手で持つ必要がなくなる。また、バッグなどに絡めておけば、電車の座席で寝てしまっても、下に滑り落ちたり、置き忘れたりということが無くなる。
なお、傘の置き場がない場合には、柄の形を壁などに合わせられ、かつ滑りにくい素材の効果もあり、簡単に立て掛けられるようになった。
また、石突きの部分は衝撃により曲がるので怪我防止にもなる。
【図面の簡単な説明】
【図１】本発明の実施例を示す、一部断面を含む正面図
【図２】本発明の実施例を示す正面図
【図３】本発明の柄の部分の断面図
【図４】本発明の石突きの部分の一部を切り欠いた断面図
【図５】本発明の他の実施例を示す正面図
【符号の説明】
（１）  アルミ製針金
（２）  ゴム又は防水性ウレタンフォーム
（３）  アルミ製パイプ
（４）  スプリング
【図１】
2004249031.tif 000003
【図２】
2004249031.tif 000004
【図３】
2004249031.tif 000005
【図４】
2004249031.tif 000006
【図５】
2004249031.tif 000007
(57)【要約】【課題】凹凸面を粘着性の強い半固形物（練りゴムのような物）で覆うことにより、凹凸面が隠れ、粘着性と摩擦抵抗により、壁から剥がれにくくなった状態を維持した上で吸盤と接する面を平らにすることにより、吸盤の取り付けが容易に出来、従来の吸盤の吸着力に近い効果を持つ、凹凸面用吸盤セットを提供する。【解決手段】凹凸面（１）に摩擦抵抗が高く、乾燥しにくく粘着性の強い半固形物（２）を丸く貼り付け表面を平らにし、その上に吸盤（３）を取り付ける構造を特徴とする。【選択図】図２
2004249032.tif 000002
【特許請求の範囲】
【請求項１】
凹凸面（１）に摩擦抵抗が高く、乾燥しにくく粘着性の強い半固形物（２）を丸く貼り付け表面を平らにし、その上に吸盤（３）を取り付ける構造を持つ凹凸面用吸盤セット
【発明の詳細な説明】
【０００１】
【発明の属する技術分野】
この発明は、凹凸面を粘着性の強い半固形物（練りゴムのような物）で覆うことにより、凹凸面が隠れ、粘着性と摩擦抵抗により、壁から剥がれにくくなった状態を維持した上で吸盤と接する面を平らにすることにより、吸盤の取り付けが容易に出来、従来の吸盤の吸着力に近い効果を持つ、凹凸面用吸盤セットに関するものである。
【０００２】
【従来の技術】
従来は、一般的な吸盤は、平面でないと容易に取り付けることが出来なかった。
【０００３】
【発明が解決しようとする課題】
これは、次のような欠点があった。
ざらざらした壁面等に物を固定するために、フック付の吸盤を取り付けたいと思っても出来ない。又、粘着シール等を貼り付けた上に取り付ける方法も、ざらざらした壁面等ではうまく付かない。そのため、壁面等にくぎ等を打ち付けたり、鋲を刺したり、接着剤を用いたりして物を固定するしかないが、これは、壁面等をキズ付けることになる。
本発明は、以上のような欠点を取り除くためになされたものである。
【０００４】
【課題を解決するための手段】
凹凸面（１）に粘着性の強い半固形物（２）を押し付けて円形を作る。粘着性と摩擦抵抗により、壁から剥がれにくくなった状態で吸盤（３）と接する面を平らにする。ここに吸盤（３）を取り付ける。
【０００５】
【発明の実施の形態】
以下、本発明の実施の形態について説明する。
粘着性の強い半固形物（２）を適当な大きさに丸め、吸盤（３）を取り付けたい部分の凹凸面（１）に強く押し付けながら、円状に広げて吸盤（３）の円周よりやや大きい円を作る。半固形物（２）の表面をできるだけ平らにし、その上に吸盤（３）を取り付ける。
【０００６】
【発明の効果】
ざらざらした壁面等をキズつけないで物を固定することか出来る。粘着性の強い半固形物に吸盤を取り付けるため、吸盤により強い吸着力が生まれる。一度取り付けてみて気に入らない時は、簡単に剥がすことが出来、はずした後の半固形物を再度、手で揉んで柔らかくし、同じ手順で、別の場所に取り付けることが出来る。
【図面の簡単な説明】
【図１】本発明の請求項１の分解断面図である。
【図２】本発明の実施断面図である。
【図３】本発明の実施正面図である。
【符号の説明】
１    凹凸面
２    半固形物
３    吸盤
４    吊り下げ用突起物
【図１】
2004249032.tif 000003
【図２】
2004249032.tif 000004
【図３】
2004249032.tif 000005
(57)【要約】【課題】膝の病みに苦しむ人々に、簡単に装着でき、膝関節に掛かる荷重を減免し、疼痛を軽減する簡易免荷具を提供する。【解決手段】内側に滑り止めの為のゴム（３）を貼り付けた、大腿部当て（１）（１’）と下腿部当て（２）（２’）の外側のサック（４）にカバー（５）を付けたヒンジ（６）を差し込む、足の口径に合わせヒンジ間の距離を決めて、大腿部当て（１）（１’）と下腿部当て（２）（２’）をマジックテープ（７）で留め装着する。【選択図】      図５
2004249015.tif 000002
【特許請求の範囲】
【請求項１】
滑り止めの付いた大腿部当てと滑り止めの付いた下腿部当てを内外側のヒンジで連結する事により、膝関節に掛かった荷重をヒンジの長軸で持たせ減免する。
【請求項２】
ヒンジ間の距離を調節する為に、大腿部当て下腿部当て共に分割しマジックテープを用いて連結する。
以上のように構成された簡易膝関節免荷具
【発明の詳細な説明】
【０００１】
【発明の属する技術分野】
この発明は、ヒンジを用いた膝関節の簡易免荷具に関するものである。
【０００２】
【従来の技術】
従来ものは、膝全体を覆い尽くすようなサポーターにヒンジを付け膝の動揺を防ぐもので、膝関節へ掛かる荷重を軽減する作用は無かった。
【０００３】
【発明が解決しようとする課題】
これは次のような欠点があった。
イ．装具自体が重く患者に負担となった。
ロ．装着が困難で、又格好が悪くがさばり普及しずらかった。
ハ．関節にかかる重みを充分に軽減できなかった。
ニ．サイズが決まっていた為、口径が合わなかった。
本発明は、それらを解消する為のものであり、より多くの人々が、簡単に装着でき、少しでも関節の痛みが軽減できたらと思い発明した。
【０００４】
【課題を解決するための手段】
イ）大腿部当てと下腿当ての内側にゴムを貼り付け、ずれの防止とヒンジに掛かる荷重が増えるようにした。
ロ）大腿部当てと下腿部当てを共に左右に分け、マジックテープで連結する事により、色々な口径の足に装着できるようにした。
ハ）大腿部当てと下腿部当てをヒンジで結ぶ事により、膝関節に掛かる荷重をヒンジの長軸でもたせ、軽減するようにした。
本発明は以上のような構成よりなる、可動式パイプを用いた膝足関節免荷具ある。
【０００５】
【発明の実施の形態】
以下、本発明の実施の形態を説明する。
（イ）大腿部当て（１）（１’）と下腿部当て（２）（２’）の内側にゴム（３）を貼り付ける。
（ロ）大腿部当て（１）（１’）と下腿部当て（２）（２’）の外側に、ヒンジ（６）を差し込むサック（４）を取り付ける。
（ハ）ヒンジ（６）にカバー（５）を取り付ける。
（ニ）大腿部当て（１）（１’）と下腿部当て（２）（２’）の内側にマジックテープ（７）を付ける。
本発明は以上のような構成よりなっている。
本発明を使用する時は、患肢に装着するだけで、次のように関節にかかる重みを、軽減できる。
大腿部当てと下腿部当てがしっかり密着し、その内外側のヒンジに荷重が掛かることにより、膝の関節に掛かる体重の負担を軽減する。
【０００６】
【発明の効果】
本発明は、以上のような構造で、誰でも簡単に装着でき又、見た目も格好がよく、自重がかかる事により、膝関節が痛む人達には、朗報となります。
【図面の簡単な説明】
【図１】本発明の正面図
【図２】本発明の裏面図
【図３】本発明のヒンジ正面図
【図４】本発明のヒンジ側面図
【図５】本発明の装着時の正面図
【符号の説明】
１、１’大腿部当て
２、２’下腿部当て
３  ゴム
４  サック
５  ヒンジカバー
６  ヒンジ
７  マジックテープ
【図１】
2004249015.tif 000003
【図２】
2004249015.tif 000004
【図３】
2004249015.tif 000005
【図４】
2004249015.tif 000006
【図５】
2004249015.tif 000007
【手続補正書】
【提出日】平成15年11月28日(2003.11.28)
【手続補正１】
【補正対象書類名】明細書
【補正対象項目名】０００４
【補正方法】変更
【補正の内容】
【０００４】
【課題を解決するための手段】
イ）大腿部当てと下腿部当ての内側にゴムを貼り付け、ずれの防止とヒンジに掛かる荷重が増えるようにした。
ロ）大腿部当てと下腿部当てを共に左右に分け、マジックテープで連結する事により、色々な口径の足に装着できるようにした。
ハ）大腿部当てと下腿部当てをヒンジで結ぶ事により、膝関節に掛かる荷重をヒンジの長軸でもたせ、軽減するようにした。
本発明は以上のような構成よりなる、膝関節免荷具である。
(57)【要約】      （修正有）【課題】指先を出るようにして、指を保温・保護して、なおかつファショナブルで細かい作業を行ないやすくしたものである。【解決手段】布・ゴム等の伸び縮みする材質で、指先を出した指サックである。【選択図】  図２
2004249013.tif 000002
【特許請求の範囲】
【請求項１】
指先が出るような形状にして、細かい作業を行なえるようにした指サック
【発明の詳細な説明】
この発明は、指先をカットして、携帯電話のメール打ち等の細かい作業を行ないやすくしたものである。
従来の指サックは、指先までゴムや布等で覆われており細かい作業を行なうときには非常に不便であった。
したがって、携帯電話のメール打ち等の作業時には、いちいちはずさなければならなかった。
本発明は、その手間を省くため簡単な方法で解決したものである。
以下それを説明すると、
（イ）それぞれの指に合わせたサイズのゴム・布等の円筒形のサックを作る。
（ロ）材質はゴムや布等で伸び縮みする物で、関節の動きをさまたげないものとする。
この様にすれば、指先の感覚を妨げず、細かい作業を行なうことが出来、又保温、サポートすることにもなり指先の健康にも良くファショナブルでもある。
本発明はこの様に簡単な方法で問題を解決したものである。
【図面の簡単な説明】
【図１】本発明の全体図
【図２】本発明の装着図
【符号の説明】
１は指  ２本体  ３は携帯電話
【図１】
2004249013.tif 000003
【図２】
2004249013.tif 000004
(57)【要約】      （修正有）【課題】場所を限定せず簡易的に使用でき、眼の疲れを取り、リラクゼーションを与えることができるアイマスクを提供する。【解決手段】眼球部分及びそのまわりを保温する為、使いすてカイロをアイマスクに一体化及び２枚の薄材などで袋状とした構成で開口部分から使いすてカイロ自体を出し入れできるものとし、使いすてカイロの熱量や使用時間を調節し、収納袋やアイマスクの眼を覆う部分の素材を厚薄させることによって、眼球部分及びそのまわりに伝わる熱量を調節することができ、安全に使用できる構造である。【選択図】なし【特許請求の範囲】
【請求項１】
眼球部分及びそのまわりを保温する為、アイマスクの眼を覆う部分の内側、外側及び中側に使いすてカイロ（両眼一体型カイロＡ及び分離型カイロＢ。）を装着し、一体化したことを特徴とするアイマスク（図１及び図２）。
【請求項２】
このアイマスクは、２枚の薄材などで袋状に形成した構成で、開口部分Ｄを開閉自在の構成として、該開口部から使いすてカイロ（着脱可能とする両眼一体型カイロＥ及び着脱可能とする分離型カイロＦ。）自体を出し入れ可能とすることのできる構造としたことを特徴とするアイマスク（図４及び図５）。
【請求項３】
上記請求項１及び請求項２のアイマスクの使いすてカイロは、原材料が鉄粉、水、木粉、バーミキュライト、活性炭、塩類等の成分を増減などすることによって、使用時間、発熱量を調節することを特徴とするアイマスク。
【請求項４】
上記請求項１及び請求項２のアイマスクの使いすてカイロは、その発熱組成物を収納する袋（以下、収納袋という。）を厚薄させることによって、眼球部分及びそのまわりに伝わる熱量を調節することを特徴とするアイマスク。
【請求項５】
上記請求項１及び請求項２のアイマスクは、その眼を覆う部分の素材を厚薄させることによって、眼球部分及びそのまわりに伝わる熱量を調節することを特徴とするアイマスク。
【発明の詳細な説明】
【０００１】
【発明の属する技術分野】本発明は、アイマスクと使いすてカイロが一体化した構造のアイマスク及び使いすてカイロ自体が着脱自在の構造のアイマスクで、使用時間、眼球部分及びそのまわりに伝わる熱量を調節できるアイマスクである。
【０００２】
【従来の技術】従来のアイマスクは、光の遮断などを主に考えられ、睡眠を促すことに使用されていた。
【０００３】蓄熱剤を使用したアイマスクはあったが、簡易的な使いすてカイロのアイマスクはなく、利便性に欠けていた。
【０００４】
【発明が解決しようとする課題】本発明は、光の遮断のみではなく、使用する場所を限定せず、眼の血行を良くし、疲れ目を取り、リラクゼーションを与え、リフレッシュも兼ねるアイマスクを提供することを目的としている。
【０００５】
【課題を解決するための手段】請求項１のアイマスクは、眼球部分及びそのまわりを保温する為、使いすてカイロをアイマスクの眼を覆う部分の内側、外側及び中側に装着し、一体化したアイマスクで、使いすてカイロの成分量を増減などすることによって、使用時間、発熱量を調節し、収納袋及びアイマスクの眼を覆う部分の素材を厚薄させることによって、熱量を調節することを特徴とする。
【０００６】請求項２のアイマスクは、２枚の薄材などで袋状に形成した構成で、開口部分Ｄを開閉自在の構成として、該開口部から使いすてカイロ自体を出し入れ可能とし、使いすてカイロの成分量を増減などすることによって、使用時間、発熱量を調節し、収納袋及びアイマスクの眼を覆う部分の素材を厚薄させることによって、熱量を調節することを特徴とする。
【０００７】
【発明の実施の形態】本発明は、アイマスクの眼を覆う部分の内側、外側及び中側に使いすてカイロを装着し、一体化した特徴で両眼一体型カイロＡ（図１）及び分離型カイロＢ（図２）で構成されているものである。
【０００８】２枚の薄材などで袋状に形成した構成で、開口部分Ｄを開閉自在の構成として、使いすてカイロ自体を出し入れ可能とし、着脱可能とする両眼一体型カイロＥ（図４）及び着脱可能とする分離型カイロＦ（図５）で構成されているものである。
【０００９】請求項１及び請求項２のアイマスクの使いすてカイロ自体は、原材料が鉄粉、水、木粉、バーミキュライト、活性炭、塩類等の成分で構成されており、成分量を増減などすることにより、使用時間、発熱量を調節することができる。
【００１０】請求項１及び請求項２のアイマスクの使いすてカイロは、収納袋を厚薄させることによって、眼球部分及びそのまわりに伝わる熱量を調節することができる。
【００１１】請求項１及び請求項２のアイマスクは、眼を覆う部分の素材を厚薄させることによって、熱量を調節することができる。
【００１２】
【発明の効果】本発明のアイマスクは、従来の蓄熱剤など電子レンジやお湯などを使用するものではなく、簡易的にアイマスクを温めることができ、場所を選ばず、長時間の運転や現代社会のＯＡ機器の使用などによる眼の疲労に効果があり、疲れた眼のリフレッシュやリラクゼーションができ、気持ちが良く、頭がスッキリすることができる。また、眼球部分及びそのまわりの熱の伝わりを調節できることにより、安全かつ快適に使用することができる。
【図面の簡単な説明】
【図１】眼を覆う部分に両眼一体型カイロを装着し、一体化したアイマスクの内側から見た実施例の斜視図
【図２】眼を覆う部分に分離型カイロを装着し、一体化したアイマスクの外側から見た実施例の斜視図
【図３】アイマスク外側の上から見た中側を見せた実施例の斜視図
【図４】２枚の薄材などで袋状に形成した構成で開口部から両眼一体型カイロを着脱可能とするアイマスクで開口部を施した外側から見た実施例の斜視図
【図５】２枚の薄材などで袋状に形成した構成で開口部から分離型カイロを着脱可能とするアイマスクで開口部を施した外側から見た実施例の斜視図
【符号の説明】
Ａ  両眼一体型カイロ
Ｂ  分離型カイロ
Ｃ  図３の実施例における中側
Ｄ  開口部分
Ｅ  着脱可能とする両眼一体型カイロ
Ｆ  着脱可能とする分離型カイロ
【図１】
2004249018.tif 000002
【図２】
2004249018.tif 000003
【図３】
2004249018.tif 000004
【図４】
2004249018.tif 000005
【図５】
2004249018.tif 000006
(57)【要約】【課題】この発明は、たとえば、短期間の小旅行中、バスや電車、飛行機の中なのでゆれと疲れで、眠くなってしまったときに、簡易的に使えるように工夫したアイマスクである。アイマスクの形状は、目隠し部の本体の部分を眼鏡の形状にして、両側に耳掛けを設ける方法と、頭に巻き付けて装着できるように工夫して、顔の大きさに合わせて調節ができるように、両側部を帯状のバンドにして、端部に複数の切り込みを入れて、後頭部でとめられられるような方法にしたアイマスクを提供する。【解決手段】目隠し部の本体（１）の両側に耳掛け（２）を設けたことを特徴とする。【選択図】  図１
2004249019.tif 000002
【特許請求の範囲】
【請求項１】
目隠し部の本体（１）の両側に耳掛け（２）を設けたアイマスク。
【請求項２】
目隠し部の本体（１）の両側にバンド（３）を設け、バンド（３）の片側の一端に複数の切り込み（４）を設け、もう一方の一端に複数の切り込み（５）を設けたアイマスク。
【発明の詳細な説明】
【０００１】
【発明の属する技術分野】
この発明は、たとえば、短期間の小旅行中、バスや電車、飛行機の中なのでゆれと疲れで、眠くなってしまったときに、簡易的に使えるように工夫したアイマスクである。
アイマスクの形状は、目隠し部の本体の部分を眼鏡の形状にして、両側に耳掛けを設ける方法と、頭に巻き付けて装着できるように工夫して、顔の大きさに合わせて調節ができるように、両側部を帯状のバンドにして、端部に複数の切り込みを入れて、後頭部でとめられられるような方法にしたアイマスクに関するものである。
【０００２】
【従来の技術】
従来、アイマスクは旅行用グッズとして、多くの人が使っているが、たとえば、長距離用のバスや電車、飛行機の中で使用するのが目的で、厚地で形状も大きく、機能的な部分に重点をおいて、作られたものが多かった。
それで、日中の日差しが強いときは、代用品としてハンカチやスカーフをかぶったりしていた。
【０００３】
【発明が解決しようとする課題】
これは、つぎのような欠点があった。
（イ）従来のアイマスクは厚地で形状が大きく作られていて、軽い睡眠又は一時的に休むとき、形状が大きすぎて、使いにくかった。
また、たとえば、日中のバスの中で使うときは、従来のアイマスクは少しオーバーで使いにくかった。
（ロ）バスで移動中、日差しの強さを防ぐとき、ハンカチやスカーフなどを顔にかけて落ちないようにピンでとめたりするのが面倒だった。
（ハ）従来は、簡易型のアイマスクがなくて、そのままの状態で仮眠するため、他の人に寝顔を見られていた。
本発明は以上のような欠点をなくすためと、多くの人たちの要望にこたえるために考えたものである。
【０００４】
【課題を解決するための手段】
目隠し部の本体（１）の両側に耳掛け（２）を設ける。
目隠し部の本体（１）の両側にバンド（３）を設け、バンド（３）の片側の一端に複数の切り込み（４）を設ける。
バンド（３）のもう一方の片側の一端に複数の切り込み（５）を設ける。
本発明は、以上のような構成よりなる、アイマスクである。
【０００５】
【発明の実施の形態】
以下、本発明の実施の形態について説明する。
目隠し部の本体（１）の両側に耳掛け（２）を設ける。
目隠し部の本体（１）の周囲の三辺に折り目（６）を設ける。
目隠し部の本体（１）の両側にバンド（３）を設ける。
バンド（３）の片側の一端に複数の切り込み（４）を設ける。
バンド（３）のもう一方の片側の一端に複数の切り込み（５）を設ける。
本発明は、以上のような構造で、つぎにこの使い方を説明する。
旅行などで外出したとき、観光地へバスで移動中や日差しの強い日中、仮眠を取るとき、本発明のアイマスクを眼鏡を掛けるときと同じ要領で使う。
他の実施例として、たとえば、旅のしおり（７）などのパンフレットを利用することもできる。
眼鏡の形に切り込みを入れ、切り離して使用できるようにする。
厚さが薄くて、しっかりした紙で簡単な眼鏡の形を作り、上部に日除け用の部分を設け、折り部を付けて裁断するだけで作れるようにすれば、旅のしおり（７）などを利用した、簡易アイマスクができあがる。
眼鏡の部分に、顔やイラストなどを印刷すれば、ユーモアたっぷりのアイマスクができる。
その結果、見知らぬ人との会話が生まれたり、笑いもふえて楽しい場を演出できる。
紙またはＰＰシートなどの素材で作れば、会社の広告も載せられる。
形状が小さくて、携帯も便利で、体裁の良いものが簡単に使えて、帰りに捨てることもできる。
【０００６】
【発明の効果】
本発明品は、ツアーなどの、短期間の小旅行中、明るいバスなどの車や電車、飛行機の中で使っても抵抗がない。
眼鏡の形になっているので、スマートなアイマスクに仕上がっているので、日中使用しても違和感がない。
椅子を倒して上を向いて使用するので、明るさも遮断され、軽いし、快適に使用できる。
旅の始まりに、たとえば、旅行会社の方から１枚の使い捨てアイマスクをいただいたら、素敵な贈呈品になる。
帰りに捨てて帰れるので、その気軽さも嬉しい。
【図面の簡単な説明】
【図１】本発明の正面図である。
【図２】本発明の他の実施例を示した正面図である。
【図３】本発明の他の実施例の使用状態を示した斜視図である。
【図４】本発明の他の実施例を示した正面図である。
【符号の説明】
１  目隠し部の本体
２  耳掛け
３  バンド
４  切り込み
５  切り込み
６  折り目
７  旅のしおり
【図１】
2004249019.tif 000003
【図２】
2004249019.tif 000004
【図３】
2004249019.tif 000005
【図４】
2004249019.tif 000006
(57)【要約】      （修正有）【課題】ボリューム感が出せる新しいスカーフを購入することなく手持ちのスカーフで華やかでボリューム感のある結び方ができるようにする。【解決手段】スカーフ全体を伸縮性のある紐にビーズを通して作ったチェーンに編みこむようにする。編みこんだ部分を広げることによってボリューム感のある華やかな結び方ができるようになった。さらに、先端につけた伸縮性のあるリングを使うと、チェーンを輪にしてチョーカーとして使ったり、二つのチェーンを連結した長いチェーンを使って更にバラティに富んだ結び方を工夫することができる。【選択図】図２
2004249012.tif 000002
【特許請求の範囲】
【請求項１】
二つ折りにした透明ゴム或いは伸縮性のある糸状の素材の中央に飾りビーズを入れ、その両側に細かい粒状のビーズを通し所定の間隔で少し大きめのビーズで二列のゴムをひとつにまとめる。次にもう少し大きめの飾りビーズを通し、更に先ほどのまとめるビーズを通す。ここでゴムをまた二列にして粒状ビーズを同様に通していく。これを８回ほど繰り返すと伸縮性のあるビーズのチェーンができる。ビーズチェーンにスカーフを編みこんでいくことによって簡単にスカーフにボリューム感を出すことができる。スカーフにビーズが絡むのでさらに華やかさ装飾性を増す。
【請求項２】
チェーンの片方の端にやはり透明ゴムに少し大きめの飾りビーズ５つほどを通して作ったリングをつけることにより、このチェーンは連結可能となり、チェーンの反対側つまり作りはじめ部分にある飾りビーズをこのリングに通してチョーカーとして使ったり、二つのチェーンを連結することによって長いチェーンにすることができるので、バリエーションがひろがる。
【発明の詳細な説明】
【０００１】
【発明の属する技術分野】
本発明は、スカーフの多様な結び方を助ける、スカーフ止めに関する。
【０００２】
【従来の技術】
従来のスカーフ止めにはスカーフの結びの部分を工夫してとめやすくするものがある。（例えば  特許文献１  実用新案文献１参照）
また、スカーフそのものにゴムを入れてボリュームを出したり華やかにするものがある。（例えば  実用新案文献２  参照）
【０００３】
以下、図４により、従来のスカーフ止めについて説明する。
図４−１  多様スカーフ留めは中空部を有する枠体の複数個を直列に鎖等で連接することにより使用中スカーフがずり落ちない。
【０００４】
図４−２  スカーフ留めは首に巻いたスカーフの両端を、最初にスカーフ留めの裏側から挿しとおし次に大リングにスカーフ留めの表から挿しとおすことによりスカーフが簡単に解けず、大小のリングの接合点に装飾体を配設したことにより装飾性も優れている。
【０００５】
図４−３  フリルスカーフ
曲折してフリルが可能な布地に、この布地の長手方向に沿って挿しとおされており、その少なくとも一端が布地から引き出された紐でフリルの分量を調節するために紐の一端を係止める係止具を備えることによりスカーフの長さやフリルを調整して簡単に結ぶことができる。
【０００６】
【特許文献１】
特開昭５５−６８３０４
【実用新案文献１】
実開平０３−７７０８
【実用新案文献２】
３０５３８３１
【０００７】
以上に述べた従来のスカーフ留めでは、スカーフ全体にボリュームを出すことが難しい、または手持ちのスカーフを活用することができないという欠点があった。
【０００８】
本発明は、このような従来のスカーフ留めが有していた問題を解決しようとするものであり、手持ちのスカーフで簡単に華やかな結び方ができるようにするものである。
【０００９】
【課題を解決するための手段】
そして、本発明は上記の目的を達成するために、スカーフの端のみを器具に入れるのでなく、伸縮性のあるビーズ製のチェーンでスカーフ全体を編みこむようにした。
【０００１０】
また、第２の課題解決手段は、チェーンの取り付け取り外しを容易にしてほかのスカーフにも取り付けられるようにした。
【０００１１】
上記第１の課題解決による作用は次の通りである。スカーフ全体を編みこんで、編みこみ部分を広げるようにしたことで、スカーフ全体にボリューム感が生まれる。
【０００１２】
取り外しが可能なので、これ一本あれば新しいスカーフを購入しなくても手持ちのスカーフをかわるがわる使用して２倍３倍におしゃれを楽しむことができる。
【０００１３】
さらに、先端につけた伸縮性のあるリングを使ってチェーンを輪にしてチョーカーとして使ったり、二つのチェーンを連結した長いチェーンを使って更にバラティに富んだ結び方を工夫することができる。
【０００１４】
【図面の簡単な説明】
【図１】本発明の全体図
【図２】チェーン部分の拡大図
【図３】先端部分の拡大図
【図４】従来のスカーフ留め
【符号の説明】
（１）  透明ゴムひも
（２）  ０．５ミリビーズ
（３）  飾りビーズ
【図１】
2004249012.tif 000003
【図２】
2004249012.tif 000004
【図３】
2004249012.tif 000005
【図４】
2004249012.tif 000006
(57)【要約】【課題】バッターに対してボールが水平に飛んでくるようにした練習具を提供する。【解決手段】収納台（１）の内部に台（５）を設け、収納台（１）の上部に方向変更板（２）を取付け金具（３）を介して設け、方向変更板（２）の傾きを可能にする為の軸（４）を設け、防護ネット（７）を設けたことを特徴とする。【選択図】    図１
2004249011.tif 000002
【特許請求の範囲】
【請求項１】
収納台（１）の内部に台（５）を設け、収納台（１）の上部に方向変更板（２）を取付け金具（３）を介して設け、方向変更板（２）の傾きを可能にする為の軸（４）を設け、防護ネット（７）を設けたことを特徴とするバッティング練習具。
【発明の詳細な説明】
【０００１】
【発明の属する技術分野】
この発明は、野球のバッティングの練習をするときボールが正確に、しかも水平に飛んで来るようにしたバッティング練習具に関するものである。
【０００２】
【従来の技術】
従来は、斜め下からボールが飛んでくる練習具や、人が手で投げる方法が一般的であった。
【０００３】
【発明が解決しようとする課題】
斜め下の方向からの飛球はバッターにとって実際にピッチャーが投げたボールの方向とは違うので、バッティング技術の面ではいまひとつ不十分であり、飛球の方向が正確ではない為、一人当たりの時間がかかりすぎていたのを解決しようとしたものである。
【０００４】
【課題を解決するための手段】
収納台（１）の内部にトスマシーンピン（１０）を入れる穴（１１）を設けた台（５）を設け固定金具（１２）によって収納台（１）に固定し、収納台（１）の上部に方向変更板（２）を取付け金具（３）を介して設け、方向変更板（２）の傾きを可能にする為の軸（４）の下側を収納台（１）の上部に固定し、上側を方向変更板（２）を通しその両側を締め付ける為の締付金具（８）設け、ボールの飛ぶ線上にネットが当たらないように開口部（９）を設けた防護ネット（７）を設ける。
本発明は、以上のようにな構成よりなるバッティング練習具である。
【０００５】
【発明の実施の形態】
以下、本発明の実地の形態について説明する。
（イ）  収納台（１）の内部にトスマシーンピン（１０）を入れる穴（１１）を設けた台（５）を設ける。
（ロ）  台（５）は固定金具（１２）によって収納台（１）に固定する。
（ハ）  収納台（１）の上部に方向変更板（２）を取付け金具（３）を介して設ける。
（ニ）  方向変更板（２）の傾きを可能にする為の軸（４）の下側を収納台（１）上部に固定し、上側を方向変更板（２）を通しその両側を締め付ける為の締付金具（８）設ける。
（ホ）  ボールの飛ぶ線上にネットが当たらないように開口部（９）を設けた防護ネット（７）を設ける。
本発明は以上のような構造になっている。
本発明を使用するときは、トスマシーン（６）を台（５）の上に載せ、バッターに対して、高いボール、低いボールを可能にするためには、図６のようにトスマシーン（６）を前後に移動させることと、締め付け金具（８）の締め付ける位置の高さを変えることで可能になる。
【０００６】
【発明の効果】
野球のバッティングの練習をするときボールが正確に、しかも水平に飛んで来るようになることでバッティングの技術の向上に役立つ。
【図面の簡単な説明】
【図１】本発明の斜視図である。
【図２】本発明の斜視図である。
【図３】本発明の斜視図である。
【図４】本発明の斜視図である。
【図５】本発明の使用状態を示す斜視図である。
【図６】本発明の使用状態を示す斜視図である。
【符号の説明】
１    収納台
２    方向変更板
３    取付け金具
４    軸
５    台
６    トスマシーン
７    防護ネット
８    締め付け金具
９    ネットの開口部
１０  トスマシーンピン
１１  穴
１２  固定金具
【図１】
2004249011.tif 000003
【図２】
2004249011.tif 000004
【図３】
2004249011.tif 000005
【図４】
2004249011.tif 000006
【図５】
2004249011.tif 000007
【図６】
2004249011.tif 000008
(57)【要約】      （修正有）【課題】杖使用者の外部からの被認識性を高める為、発光部位をもつ杖の下端装置を提供する。【解決手段】杖の先端部の外周をゴムで作成する。このゴムの部位に高輝度ＬＥＤ等発光体Ｂ１に給電部分Ｂ４より導線Ｂ２、Ｂ３を設置し光を発光する。【選択図】図２
2004249017.tif 000002
【特許請求の範囲】
【請求項１】
発光する部位を含む事を特徴とする杖用石突。
【請求項２】
杖用石突に内臓する杖をつくことで発電する装置。
【請求項３】
請求項１記載の杖用石突を杖本体の先端に取付けて成ることを特徴とする杖。
【請求項４】
請求項２記載の発電装置を杖本体の先端に取付けて成ることを特徴とする杖。
【発明の詳細な説明】
【０００１】
【発明の属する技術分野】
本発明は杖を使用している人間が他者からの認識性を高める為の装置に関する。
【０００２】
【従来の技術】
この種の装置においては、杖全体に給電装置を設置し上部に発光体を用いて発光する装置がしられている。
【０００３】
【発明が解決しようとする課題】
杖を使用するものは運動性が健常者に比較し機敏な動作が不可能でありより外部からの認識性を高める必要がある。しかし、片手を杖にとられているため灯火装置などの所持も難しい。また、従来の杖全体を持って完結する装置では杖全体のデザインや重量面などにおいて不満が発生していた。
【０００４】
この発明は上記の点に注目し、杖下端の部位に重量物を集中させ杖使用者の使用感を損なわず、石突部位で完結させることで杖全体のデザインにおいての影響を最小限度とすることを目的とする。
【０００５】
【課題を解決するための手段】
本発明は杖用石突の部位に視認性を高めるための電気を動力とする発光体を含む杖用石突、及び杖用石突内に内蔵し電気にて動作する装置に対し電力を供給する装置である。
【０００６】
発光装置においては電気的な発光装置を石突部表面に設置した自己が発光することが可能な装置である。主に夜間において、自動車などの強力な投光装置をもつ対象のみならず自転車など投光装置があまり強力でない対象に対しても存在を主張し注意を喚起することが可能になる。
【０００７】
電力を供給する装置はコイルと磁石による発電装置である。この装置において、石突をつくことで磁石が上下運動を行いコイルとの相互効果によって電気を発電する。杖の先端という限られた断面積において使用時に継続的に発電が可能な装置である。
【０００８】
発光装置の給電装置としては既存の電池などの給電装置を用いることも可能であるが、本発明装置である発電装置を用いることで重量面、継続使用面の問題を解決することが可能になる。
【０００９】
【発明の実施の形態】
杖の先端部１の外周をゴムで作成する。このゴムの部位に高輝度ＬＥＤ等発光体Ｂ３に給電部分Ｂ４より導線Ｂ２、Ｂ３を設置し光を発光する。給電部分Ｂ４には既存給電装置もしくは本発明請求項２である発電装置を設置する。
【００１０】
発電装置においてはコイルＡ２の内部に磁石Ａ１を設置する。磁石Ａ１は上下に稼動し且つ石突の下部に少しはみ出る位置に設置する。磁石Ａ１の上部には伸縮性のあるゴムＡ５を設置する。
【００１１】
ゴムＡ５があるため石突が突かれていなければ磁石Ａ１は石突下部にはみ出す位置にあるが、石突が突かれた場合ゴムＡ５が伸縮性があるため磁石Ａ１は石突内部に移動する。この際コイルＡ２との相互作用において導線Ａ４、Ａ５に電圧差が発生する。
【００１２】
石突があげられた場合、ゴムＡ５の張力により磁石Ａ１は再度石突からはみ出す位置に移動する。この際もコイルＡ２との相互作用において導線Ａ４、Ａ５に電圧差が発生する。
【００１３】
この際、磁石Ａ１の動きを妨げない範疇で石突下部全体に耐衝撃性、防水性を高めるためゴムなどの遮断体を張ることも可能である。
【００１４】
【発明の効果】
過去の発光する杖に関する発明では給電装置及び発光装置を配置するため杖全体の回収が必要であった。しかし本発明においては杖先端のみで完結する装置である為、一体内蔵形態の杖である必要はなく、既存の杖にもデザイン性を失うことなく設置することが可能である。また、下端に重量物が集中するので使用時に重量を感じることも少ない。あわせて自己発光を行う装置である為自転車などの投光能力は低いが危険性は高いものに対しても存在を主張することが可能になる。
【図面の簡単な説明】
【図１】発光装置の図面である。
【図２】発電装置の図面である。
【図１】
2004249017.tif 000003
【図２】
2004249017.tif 000004
(57)【要約】【課題】従来は、歯ブラシ等による清掃が中心であり、歯に対して十分な力を加えて清掃することが困難。かつ、指先のように細やかな制御をすることができなかった。これを、歯に対して十分に力を加えて清掃することができ、また指先で直接制御し細やかなコントロールすることができるようにする。【解決手段】指サック状のもの１にスポンジ状のもの２をとりつけ歯の清掃を行う。【選択図】図１
2004249052.tif 000002
【特許請求の範囲】
【請求項１】
指に取り付けることができるサック状、もしくは環状形のものに、スポンジ状物質またはブラシなどを取り付けた歯の清掃用具
【発明の詳細な説明】
【０００１】
【発明の属する技術分野】
本発明は、ゴム・ビニール等のサック状・もしくは環状形のものに、スポンジ状物質またはブラシなどを取り付け、それを指に付けて歯の清掃を行うものである。
また、本発明は本人が自身で歯の清掃に用いるだけでなく、乳幼児や子供・老人等の他者さらには入れ歯および愛玩動物の歯にも利用できることを特徴とする。
【０００２】
【従来の技術】
従来、歯の清掃は柄のついた歯ブラシによって行われてきた。
その問題点として以下の３点が挙げられる。
第１点として直線的な柄のついたブラシでは、歯の裏側などにブラシ部分が届きにくく汚れが落としにくい。
第２点として落ちにくい汚れに、十分な力を加えて落とすことができない。
第３点として幼児や子供など経験の浅いものが自分で歯の清掃を行う場合や、大人でも本人の不注意により、柄の先端が喉などにあたってしまう危険性がある。
【０００３】
【発明の実施の形態】
本発明は、ゴム・ビニール等のサック状・もしくは環状形のものに、スポンジ状物質またはブラシ等を取付け、それを指に付けて歯の清掃を行うものである。図面について説明すれば、ゴム・ビニール等１にスポンジ状物質またはブラシ等２を取り付けたものである。
【０００４】
【発明の効果】
このようにすれば、指先で直接ブラシ部分を制御することができるので、歯の裏側にもスポンジ、もしくはブラシ部分がよく届いて汚れをよりよく落とすことことができる。ブラシ部分がスポンジ状物質の場合には、落としにくい汚れに指からの十分な力を加えてより効果的に清掃することができ、歯ぐきを傷つけることもない。また、細やかな制御ができるため、乳幼児や子供、老人、愛玩動物類などにも安全に使用することができる。入れ歯の清掃にも使用しやすい。
【図面の簡単な説明】
【図１】ゴム・ビニール等のサック状のものにスポンジ状物質を取り付けたものの斜視図である。
【図２】ゴム・ビニール等の環状形のものにスポンジ状物質を取り付けたものの斜視図である。
【符号の説明】
１  ゴム・ビニールなど
２  スポンジ状物質
【図１】
2004249052.tif 000003
【図２】
2004249052.tif 000004
(57)【要約】［課題］ミカンやオレンジなどの柑橘果実を手軽にジュースにして飲みたい。従来のジューサーやミキサーでは、それは達成されなかった。［解決手段］レモンジューサーに似た押し絞り器において、それを「柑橘果実を絞るための部分（プレスハット）」と「ジュースを受け溜める部分（ジュースディッシュ）」とに分けて、そのプレスハットを、色々な種類の色々な大きさの柑橘果実の半截に応じることが出来るように、大きさの違う何個もに造り、それらが、ジュースディッシュに、取り替えて固定的に裾え付けられうるようにし、また、それらが、小を中に大まで重ねて、ジュースディッシュに据え収めうるようにした、プッシュジューサーと呼ぶことにする、柑橘果実押し絞り器。【選択図】なし。【特許請求の範囲】
【請求項１】
レモンジューサーに似た押し絞り器において、それを「柑橘果実を絞るための部分（プレスハット）」と「果汁を受け溜める部分（ジュースディッシュ）」とに分けて、そのプレスハットを、色々な種類の色々な大きさの柑橘果実の半截に応じることが出来るように、大きさの違う何個もに造り、それらが、ジュースディッシュに、取り替えて固定的に据え付けられうるようにし、また、それらが、小を中に大まで重ねて、ジュースディッシュに据え収めうるようにした、プッシュジューサーと呼ぶことにする、柑橘果実押し絞り器。
【請求項２】
「請求項１」における柑橘果実押し絞り器のプレスハットは、山高帽子のような形とし、鍔に当たる部分に、数カ所くらい、可なり幅のある切り込みを設け、他方、果汁を受け溜めるジュースディッシュには、その切り込みに応じた可なり高い突起を設け、プレスハットを据え置いて使用する場合、回転しないで固定しうるようにした、柑橘果実押し絞り器の一。
【発明の詳細な説明】
【０００１】
【発明の属する技術分野】
本発明は、レモン押し絞り器に似た、柑橘果実の各種サイズに対応して使用しうるように考えた柑橘果実押し絞り器である。
【０００２】
［従来の技術］
現在のところ、私の知っている範囲では、押し絞り器はレモンジューサーとグレープフルーツジューサー（Ｐａｔ．Ｎｏ．３０３４３３２と刻記してあった）だけである。
【０００３】
［発明が解決しようとする課題］
しかし、市販されている柑橘果実には、レモンやグレープフルーツの他にオレンジ、ミカン、ネーブル、ポンカン、ダイダイ、ハッサクなどがあり、その大きさはまちまちである。
私は、レモンジューサーで、ネーブルを押し絞って見たが、「柑橘果実を絞るための部分（プレスハット）」が小さくて、上手く行かなかった。
これは、色々な柑橘果実に使用できるものにしなくてはならないと思った。
そして、スーパーを訪ねてみると、上に述べたグレープフルーツ用があることが、判った。
【０００４】
［課題を解決するための手段］
そこで考えた。プレスハットが、レバー操作などで、自由に大きさが調節できるものは出来ないかと。
どうも、妙案がない。
そこで、プレスハットとジュースディッシュとに分離して、プレスハットを色々なサイズに用意して置いて、果実の大きさに応じて使えるようにすることを考えた。そして、そのプレスハットが纏まってジュースディッシュの上に収まるように考えた。
【０００５】
［発明の実施の形態］
本発明は、「特許請求の範囲」に簡潔に述記してある。
【０００６】
［実施例］
その実施例の一は、「特許請求の範囲」の「請求項２」に簡潔に述記してある。
【０００７】
［発明の効果］
従来、どんな果物にも向く、ジューサーには、電動式のものと手で以て挟み潰すものとがあった。
数１０年前、我家には、挟み式のものがあったが、納屋に置きっ放しにしておいたら、近所の同和不良分子であろう、他の器具と共に盗んで行ってしまった。その後、それとそっくりのものがテレビショッピングに長い間登場することになった。
しかし、それらは大掛かりで、ちょっと戸棚に仕舞っておいて、手軽に使えると言うものではない。
本発明によって、そう言ったそれら不便さは大いに緩和されるので、柑橘果実は、本発明の普及によって、その消費を大幅に拡大しよう。
現在、柑橘果実は、濃縮ジュースとして、大量に日本に入ってきており、各ドリンクメーカーが、それを還元して詰めて販売している。そのため、国産果物は、生のままで対抗しているが、食べる場合の簡便さに劣るので、還元ジュースに押されぱなしである。それは国産のみの現象ではなく、アメリカ産のオレンジやグレープフルーツにも影響し、それらは近年どんどん市場から姿を消して行っている。本発明は本当にいいことを考えたと思う。
ところで、一昨日もネーブルを求めてきて、絞って飲んでみたが、甘味に対して酸味が強く、子供の頃のものに比べて大変劣る。それを改善しないと、本発明も単なる蛇足に過ぎなくなる。
昔のものに比べて品種が下級になっているのが、その原因の一である。昔の優良品種に返す努力をするべきである。
そして、昔の肥料は、糞尿と堆肥が中心であったが、現在は、無機質肥料が中心になっているのであろう。それを半分なりと、魚かす、肉骨粉、鶏糞などの有機質肥料に代えると共に、畑をカルチベートして、土壌に空気に含ませて、微生物を呼吸しやすくして繁殖させ、炭酸ガスやアンモニアガスを十分発生させ、常に土壌を柔らかくして、空気を侵入させやすくし、その循環が維持され、果樹の根を張りやすくして、窒素、燐、加里の酸や酸化塩などをどんどん吸収しうるようにすることが大切である。
それに応えるものの一の鶏糞は、現在、余り売れていない。如何に、畑作農家が真剣に畑作に取り組んでいないかが、それからも証明される。
それは、一般に、畑作農業が政府の対策業種となっているからに違いない。作物が不作であれば、対策されるのであるから、誰も良作しようとはしなくなる。適当にやって、対策金を受ければよいのである。
加えて、その対策が農協を通して行なわれるので、農協支配となり、農家を営む者より農協職員の方が収入が良く、年金も雲泥の差である。そこを脅して、農協から万事を踏み倒せばよいと言う行動が出る。
農業は、季節的なものであり、然も、環境をよくしてやれば、常に手を加えなくても、自然に成育・収穫化する。従って、農家は、農協に依存するのではなく、自分たちの協同で、生産から卸売までをやるべきである。
それを達成するには、政府や県や市町村の対策は絶対に受けない。また、農業共済制度にも絶対に加入しない。全て自主独立の精神で営農して行くの心構えが何より肝要である。
そのための研究学習が市町村の図書館で十分行なえるようにし、何事も、我流でなく学問的に行なう態度を身に付けなくてはならない。
その態度とその蓄積こそが家を守る上に何よりも大切であることは、私の毎日の生活を電波ウォチングしていて嫌と言うほど理解してもらったと思う。
そしてもう一つ、農協やイチバの支配を脱するには、果物が、旬の最盛期に収穫可能となり、その保存法さえ確立されれば、生果物でも可なり永く、また缶詰にすれば、一年中市場に適正規模で出荷できよう。
アメリカの果物が、商品取引業者の搾取に会い、もう相当永く味を落とし続けて来て、世界市場から敗退して行きつつある。
日本が先に、営農出荷法を立て直せば、日本の果物産業はアメリカに負けない地位を回復することになろう。
柑橘類は、コーヒー、ココア、紅茶、パイナップル、バナナなどのように、気候的に日本で栽培出来ないものではないので、勇気を鼓舞して、再生・挽回に頑張ってほしい。